(57)【要約】【課題】回路規模を小型化しつつ、コストの低減を可能とする変調装置を提供する。【解決手段】変調装置は、デジタル信号を直交変調してＩ信号及びＱ信号に変換する信号処理部１１と、基準周波数の第１のタイミング信号を生成するタイミング生成部１３と、Ｉ信号及びＱ信号を基準周波数の１／４のクロックでアナログ変換する第１及び第２のＤ／Ａ変換器１２ａ，１２ｂと、第１のタイミング信号を２分周した第２のタイミング信号にしたがってＩ信号及びＱ信号を極性反転させ、第１のタイミング信号にしたがってＩ信号及びＱ信号を交互に出力するゲート制御スイッチ１４とを具備する。【選択図】      図１
2010245962.tif 000002
【特許請求の範囲】
【請求項１】
デジタル信号を直交変調してＩ信号及びＱ信号に変換する信号処理部と、
基準周波数の第１のタイミング信号を生成するタイミング生成器と、
前記Ｉ信号及びＱ信号を前記基準周波数の１／４のクロックでアナログ変換する第１及び第２のＤ／Ａ変換器と、
前記第１のタイミング信号を２分周した第２のタイミング信号にしたがって前記Ｉ信号及びＱ信号を極性反転させ、前記第１のタイミング信号にしたがって前記Ｉ信号及びＱ信号を交互に出力するゲート手段と
を具備することを特徴とする変調装置。
【請求項２】
デジタル信号を直交変調してＩ信号及びＱ信号に変換し、
基準周波数の第１のタイミング信号を生成し、
前記Ｉ信号及びＱ信号を前記基準周波数の１／４のクロックでアナログ変換し、
前記第１のタイミング信号を２分周した第２のタイミング信号にしたがって前記Ｉ信号及びＱ信号を極性反転させ、前記第１のタイミング信号にしたがって前記Ｉ信号及びＱ信号を交互に出力することを特徴とする変調方法。
【発明の詳細な説明】
【技術分野】
【０００１】
この発明は、無線基地局等に用いられる変調装置及び変調方法に関する。
【背景技術】
【０００２】
携帯電話の基地局と携帯電話端末との間の無線通信を中継するＲＯＦ（Radio Over Fiber）の送信器や基地局の送信器などの変調信号をＲＦ信号の無線電波にして出力する装置は、まず、送信信号にデジタル信号処理を行った後にＤ／Ａコンバータを用いてアナログ変換してＲＦ周波数に変換する処理を行う。
【０００３】
このＲＦ周波数への変換処理は、アナログ信号をアナログ変調回路もしくは周波数変換回路によってＲＦ周波数へ変換するか、または、デジタル信号をＤ／Ａコンバータに高速動作させて直接ＲＦ周波数を得るかの何れかにより実現される。前者の場合は回路規模が増大し、後者の場合はデバイス自体が高価になり、いずれの方式においてもコストの負担が大きかった。
【０００４】
なお、本願に関連する公知文献としては、例えば次のようなものがある（特許文献１を参照。）。
【先行技術文献】
【特許文献】
【０００５】
【特許文献１】特開平６−２４４８７６号公報
【発明の概要】
【発明が解決しようとする課題】
【０００６】
この発明は上記事情に着目してなされたもので、その目的とするところは、回路規模を小型化しつつ、コストの低減を図ることができる変調装置及び変調方法を提供することにある。
【課題を解決するための手段】
【０００７】
上記目的を達成するためにこの発明の一態様は、デジタル信号を直交変調してＩ信号及びＱ信号に変換する信号処理部と、基準周波数の第１のタイミング信号を生成するタイミング生成器と、前記Ｉ信号及びＱ信号を前記基準周波数の１／４のクロックでアナログ変換する第１及び第２のＤ／Ａ変換器と、前記第１のタイミング信号を２分周した第２のタイミング信号にしたがって前記Ｉ信号及びＱ信号を極性反転させ、前記第１のタイミング信号にしたがって前記Ｉ信号及びＱ信号を交互に出力するゲート手段とを具備する変調装置を提供する。
【０００８】
また、この発明の他の態様は、デジタル信号を直交変調してＩ信号及びＱ信号に変換し、基準周波数の第１のタイミング信号を生成し、前記Ｉ信号及びＱ信号を前記基準周波数の１／４のクロックでアナログ変換し、前記第１のタイミング信号を２分周した第２のタイミング信号にしたがって前記Ｉ信号及びＱ信号を極性反転させ、前記第１のタイミング信号にしたがって前記Ｉ信号及びＱ信号を交互に出力する変調方法を提供する。
【発明の効果】
【０００９】
したがってこの発明によれば、回路規模を小型化しつつ、コストの低減を図ることができる変調装置及び変調方法を提供することができる。
【図面の簡単な説明】
【００１０】
【図１】この発明に係る変調装置の一実施形態を示す構成図。
【図２】図１の変調装置における各部の出力信号の時間領域での波形を示す図。
【図３】図１の変調装置における各部の出力信号の周波数領域での波形を示す図。
【発明を実施するための形態】
【００１１】
以下、図面を参照しながら本発明の実施の形態を詳細に説明する。  
本実施形態では、送信用のデジタル信号をアナログＲＦ信号に直接変換する変調装置及び変調方法を提案する。図１は、本発明に係る変調装置の一実施形態を示す構成図である。この変調装置は、信号処理部１１と、第１のＤ／Ａコンバータ１２ａ（ＤＡＣ０）と、第２のＤ／Ａコンバータ１２ｂ（ＤＡＣ１）と、タイミング生成部１３と、ゲート制御スイッチ１４とを備える。また、変調装置の先には、増幅器１５及びアンテナ１６が設けられ、この変調装置により変調されたアナログＲＦ信号は、増幅器１５により電力増幅された後に、アンテナ１６から送出される。
【００１２】
図２は、図１の変調装置における各部の出力信号の時間領域での波形を示したものである。信号処理部１１は、送信用のデジタル信号を直交変調してＩ／Ｑ信号に変換し、Ｉ信号をＤＡＣ０へ、Ｑ信号をＤＡＣ１へ出力する。タイミング生成部１３は、基準周波数Ｆｓ（５００ＭＨｚ）の選択タイミング信号を生成し、ＤＡＣ０及びＤＡＣ１を基準周波数Ｆｓの１／４のサンプリングクロック（１２５ＭＨｚ）で動作させる。ＤＡＣ０及びＤＡＣ１でアナログ変換されたＩ信号及びＱ信号を観測すると、時間領域での波形は図２のようになる（図２中ＤＡＣ０出力，ＤＡＣ１出力）。
【００１３】
タイミング生成部１３は、上記生成した選択タイミング信号をゲート制御スイッチ１４に与える（図２中選択タイミング０）。ゲート制御スイッチ１４は、選択タイミング信号を２分周（図２中の選択タイミング１）し、ＤＡＣ０から出力されるＩ信号に対して、選択タイミング１がＨｉｇｈであるときに×１（正転）し、Ｌｏｗであるときに×−１（極性反転）する（図２中ＤＡＣ０スイッチ）。同様に、ゲート制御スイッチ１４は、ＤＡＣ０から出力されるＱ信号に対して、選択タイミング１がＨｉｇｈであるときに×１（正転）し、Ｌｏｗであるときに×−１（極性反転）する（図２中ＤＡＣ１スイッチ）。さらに、ゲート制御スイッチ１４は、選択タイミング０がＨｉｇｈであるときにＤＡＣ０スイッチを選択し、ＬｏｗであるときにＤＡＣ１スイッチを選択して、Ｉ信号及びＱ信号を合成したゲート信号を出力する（図２中ゲート出力）。
【００１４】
図３に、図１の変調装置における各部の出力信号の周波数領域での波形を示す。このように、ＤＡＣ出力に対して選択タイミング信号により切替を行うことはＩ成分側のＤＡＣ０はＣＯＳ（２５０ＭＨｚ×ｔ)、Ｑ成分側のＤＡＣ１はＳＩＮ（２５０ＭＨｚ×ｔ）を掛け合わせてＩＱ合成することになり、複素変調を行うことと同じ動作となる。
【００１５】
通常インターポレーションを行う際には、ＤＡＣを１個のみ用いて行うがこれでは、標本化の原理上再現できる帯域が基準周波数Ｆｓの１／８でしかとることが出来ない。また、電力がインターポレーションによって発生した各イメージに分散されるので、所望の周波数の電力値がインターポレーションした分だけ電力が低下してしまう。本実施形態では基準周波数の１／４と２倍の帯域が利用できるようになる。また電力もイメージに重み付けがなされるので、ほぼ劣化無く出力することができる。
【００１６】
したがって、上記実施形態によれば、比較的低速な安価なＤ／Ａコンバータを用いて簡易な構成でデジタル信号を直接アナログＲＦ信号へ変換する変調装置を実現することができる。
【００１７】
なお、この発明は、上記実施形態そのままに限定されるものではなく、実施段階ではその要旨を逸脱しない範囲で構成要素を変形して具体化できる。例えば、ここではＤＡＣへのクロックとゲートスイッチとの比が１：４で有る場合で動作説明を行ったが、これと異なる整数比でも良い。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００１８】
１１…信号処理部、１２ａ…第１のＤ／Ａコンバータ（ＤＡＣ０）、１２ｂ…第２のＤ／Ａコンバータ（ＤＡＣ１）、１３…タイミング生成部、１４…ゲート制御スイッチ、１５…増幅器、１６…アンテナ。
【図１】
2010245962.tif 000003
【図２】
2010245962.tif 000004
【図３】
2010245962.tif 000005